(57)【要約】      （修正有）【課題】少ない人数で安全かつ迅速に棚に取り付けることができ、取り付け後の棚の美観を向上させることができる棚用ネット、及びそれを用いた棚用ネットの取付構造を提供する。【解決手段】棚用ネット３２は、外形が略長方形の鉛直平面に沿って格子状に形成された格子部３２ａと、格子部３２ａの略長方形の外形の上辺部に沿って設けられた懸垂部３２ｂと、格子部３２ａの略長方形の外形の左右いずれかの辺部に沿って設けられた保護部３２ｃを備え、保護部３２ｃは、格子部３２ａの左右いずれかの辺部から、格子部３２ａに対して略直角、かつ、格子部３２ａの前面側に向かって所定の長さ寸法だけ伸びるように設けられている。【選択図】図１
0003228841.tif 000002
【実用新案登録請求の範囲】
【請求項１】
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられた
ことを特徴とする棚用ネット。
【請求項２】
前記格子部は、上下方向に細長く伸びる複数の縦線と左右方向に細長く伸びる複数の横線が、それぞれ所定の間隔をおいて互いに直交するように格子状に配置されて、その交差部において交差する前記縦線と前記横線が接合されることにより形成された
ことを特徴とする請求項１に記載の棚用ネット。
【請求項３】
前記懸垂部は、前記格子部を形成する前記縦線の上端部が、前記格子部の前記上辺部より上方に所定の長さ寸法だけ突出し、その突出した長さ部分が前記格子部の前面側に向かって曲げられることによって形成されたフックが、前記格子部の前記上辺部に沿って複数設けられることにより形成された
ことを特徴とする請求項２に記載の棚用ネット。
【請求項４】
前記保護部は、前記格子部を形成する前記横線が、前記格子部の前記左右いずれかの辺部から、前記格子部の前面側に向かって略直角に折れ曲がって前記格子部の前面側に所定の長さ寸法だけ伸び、上下方向に細長く伸びる複数の縦線が、前記横線の折れ曲がった先の長さ部分と、それぞれ所定の間隔をおいて互いに直交するように配置されて、その交差部において互い接合されることにより形成された
ことを特徴とする請求項２又は３に記載の棚用ネット。
【請求項５】
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられた棚用ネットを用い、
棚の背面に、前記棚の背面に沿って前記棚の左右方向に細長く伸びるように懸垂用横部材が設けられ、
前記棚用ネットが、前記棚用ネットの前記懸垂部を前記懸垂用横部材に引っ掛けて、前記懸垂用横部材から懸垂するように配置されると共に、前記棚用ネットの前記保護部が前記棚の背面側の棚柱より前記棚の左右方向の外側に位置するように配置される
ことを特徴とする棚用ネットの取付構造。
【考案の詳細な説明】
【技術分野】
【０００１】
本考案は、枠組構造の棚の背面開放部に取り付けられる棚用ネット、及びそれを用いた棚用ネットの取付構造に関するものである。
【背景技術】
【０００２】
自動倉庫などに用いられるような、多数の区画の収納空間を有する棚は、複数の棚柱と棚梁を組み合わせることによって形成された枠組構造をしているため、棚に置かれた荷物が棚の開放された背面側から落下しないように、棚の背面側に安全用のネットが取り付けられることがあり、そのような棚用ネットを棚に取り付けるための取付構造が知られていた（例えば、特許文献１参照）。
【０００３】
図７ないし図９は、そのような従来の棚用ネット１２、及びそれを用いた従来の棚用ネットの取付構造２について説明するために参照する図である。
【０００４】
従来の棚用ネット１２は、図７に示すように、上下方向（鉛直方向）に細長く伸びる複数の縦線１４と左右方向（水平方向）に細長く伸びる複数の横線１６が、それぞれ所定の間隔をおいて互いに直交するように格子状に配置されて、その交差部において交差する縦線１４と横線１６が溶接等により接合されることにより、外形が略長方形に形成された鉛直平面に沿って格子状に形成されており、その上端部（上記略長方形の外形の上辺部）には、棚用ネット１２を形成する縦線１４の上端部が、棚用ネット１２の前面側に向かって逆Ｕ字形に曲げられることによって形成されたフック１８が、棚用ネット１２の上端部に沿って複数設けられていた。
【０００５】
このような従来の棚用ネット１２を用いた従来の棚用ネットの取付構造２は、図８に示すように、枠組構造の棚４と、棚４の背面に沿って水平方向に細長く伸びるように設けられた懸垂用横部材６を備え、棚用ネット１２は、懸垂用横部材６から懸垂するように取り付けられていた。
【０００６】
懸垂用横部材６は、鉛直方向に伸びるように床上に立設された複数の棚柱４ａと、それらの棚柱４ａの間を架け渡すように、棚４の前後又は左右方向（水平方向）に伸びる複数の棚梁４ｂを組み合わせることによって形成された棚４の背面に沿って、棚４の左右方向（水平方向）に細長く伸びるように形成されて、棚４の背面側の棚柱４ａの所定の高さ位置に固定されていた。
【０００７】
そして、図９（ａ）に示すように、懸垂用横部材６の長さ方向に対して垂直な断面は、棚４の背面に沿うように鉛直方向（図中上下方向）に立設された垂直板部６ａと、その垂直板部６ａの下端部から棚４の背面に向かって水平方向（図中左右方向）に伸びる水平板部６ｂを備えた略Ｌ字形に形成されており、懸垂用横部材６の垂直板部６ａには、懸垂用横部材６の長さ方向（図中左右方向）に細長く伸びる長孔状に形成されたボルト孔６ｃが、懸垂用横部材６の長さ方向に沿って、互いに所定の間隔をおいて並んで複数形成されていた。
【０００８】
棚４の背面には、このような懸垂用横部材６が、棚４の上下方向（鉛直方向）に所定の間隔をおいて互いに略平行となるように複数設けられ、それぞれの懸垂用横部材６の間の棚４の上下方向の間隔は、図７に示す棚用ネット１２の上下方向（鉛直方向）の寸法より小さくなるように設けられていた。
【０００９】
そして、棚用ネット１２は、図８に示すように、棚用ネット１２のフック１８を棚４の背面に設けられた図中上側の懸垂用横部材６の垂直板部６ａの上端部に引っ掛けて、懸垂用横部材６から懸垂するように配置されると共に、棚用ネット１２の下端部が図中上側の懸垂用横部材６の下方に設けられた図中下側の懸垂用横部材６より下側、かつ、懸垂用横部材６の垂直板部６ａの背面側に位置するように配置されていた。
【００１０】
そして、図９（ａ）及び（ｂ）に示すように、丸棒状の部材をコ字形に曲げてその両端部にオネジ部が形成されたようなＵボルト８の両端オネジ部を、懸垂用横部材６の垂直板部６ａの背面側（図９（ａ）中左側）から、棚用ネット１２の格子の目と、懸垂用横部材６の垂直板部６ａに形成されたボルト孔６ｃに連続して挿通して、垂直板部６ａの前面側（図９（ａ）中右側）からナット９をネジ締結することにより、棚用ネット１２が棚４の背面に固定されるようになっていた。
【００１１】
そして、このような棚用ネット１２は、図８に示すように、棚４の背面の開放部の左右方向（水平方向）の寸法が、１枚の棚用ネット１２の左右方向の寸法より大きい場合は、複数の棚用ネット１２を棚４の背面に左右方向に並べて取り付けることができ、棚４の背面の開放部の上下方向（鉛直方向）の寸法が、１枚の棚用ネット１２の上下方向の寸法より大きい場合は、複数の棚用ネット１２を棚４の背面に上下方向に並べて取り付けることができるようになっていた。
【００１２】
このようにして、棚用ネット１２が棚４に取り付けられることにより、棚４に置かれた荷物が棚４の開放された背面側から落下することを防止できるようになっていた。
【００１３】
そして、棚用ネット１２が懸垂用横部材６から懸垂するように配置されることによって棚用ネット１２の位置が保持されるため、棚用ネット１２を棚４に取り付ける際に、棚用ネット１２が動かないように押さえておく必要がなく、少ない人数で迅速に棚用ネット１２を棚４に取り付けることができるようになっていた。
【先行技術文献】
【特許文献】
【００１４】
【特許文献１】実用新案登録第２５３２８１６号公報
【考案の概要】
【考案が解決しようとする課題】
【００１５】
しかしながら、このような従来の棚用ネット１２を用いた棚用ネットの取付構造２には、棚の周辺で作業する者に安全上の問題が生じるおそれがあるという問題があった。
【００１６】
すなわち、図８に示すような従来の棚用ネットの取付構造２の、棚用ネット１２が取り付けられた棚４の背面側の左右方向（水平方向）の端部の周辺においては、棚用ネット１２の横線１６の先端部や懸垂用横部材６の端面が露出しているため、棚４の周辺で作業する者がそれらに接触して怪我をしたり、衣服を破損したりするおそれがあった。
【００１７】
そのため、従来は、それを防止するために、図１０に示すように、棚用ネット１２が取り付けられた棚４の背面側の棚柱４ａに、鉛直方向に細長く伸びるように形成されて、その断面がＬ字形に形成された保護部材１０を取り付けて、棚用ネット１２の横線１６の先端部や懸垂用横部材６の端面が露出しないように保護していた。
【００１８】
しかしながら、このような保護部材１０を用いた方法では、棚４に棚用ネット１２を取り付けた後に、更に保護部材１０の取り付け作業を行う必要があるため、その分、作業工程が増えて作業が煩雑になると共に、保護部材１０の取り付け作業それ自体に安全上の問題が生じるおそれがあった。
【００１９】
すなわち、棚４の背面側の棚柱４ａに保護部材１０を取り付けるためには、棚４の背面側の棚柱４ａの外側に配置した保護部材１０を押さえながら、ボルト等を用いて保護部材１０を棚柱４ａに固定する必要があり、そのような作業を１人で行うことは難しかった。
【００２０】
そして、棚４の上下方向（鉛直方向）の寸法が大きい場合は、保護部材１０をそのような棚４の上部に取り付けるためには、足場等を用意して、複数人で不安定な高所で作業を行う必要があった。
【００２１】
また、棚４の背面側の棚柱４ａに保護部材１０が取り付けられることによって、棚４の外観上の統一感が失われ、倉庫の美観を損なうという問題もあった。
【００２２】
そこで本考案は、上記問題点に鑑みて、少ない人数で安全かつ迅速に棚に取り付けることができ、取り付け後の棚の美観を向上させることができる棚用ネット、及びそれを用いた棚用ネットの取付構造を提供することを課題とするものである。
【課題を解決するための手段】
【００２３】
本考案による棚用ネットは、上記課題を解決するために、
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられた
ことを特徴とするものである。
【００２４】
また、本考案による棚用ネットは、
前記格子部は、上下方向に細長く伸びる複数の縦線と左右方向に細長く伸びる複数の横線が、それぞれ所定の間隔をおいて互いに直交するように格子状に配置されて、その交差部において交差する前記縦線と前記横線が接合されることにより形成された
ことを特徴とするものである。
【００２５】
また、本考案による棚用ネットは、
前記懸垂部は、前記格子部を形成する前記縦線の上端部が、前記格子部の前記上辺部より上方に所定の長さ寸法だけ突出し、その突出した長さ部分が前記格子部の前面側に向かって曲げられることによって形成されたフックが、前記格子部の前記上辺部に沿って複数設けられることにより形成された
ことを特徴とするものである。
【００２６】
また、本考案による棚用ネットは、
前記保護部は、前記格子部を形成する前記横線が、前記格子部の前記左右いずれかの辺部から、前記格子部の前面側に向かって略直角に折れ曲がって前記格子部の前面側に所定の長さ寸法だけ伸び、上下方向に細長く伸びる複数の縦線が、前記横線の折れ曲がった先の長さ部分と、それぞれ所定の間隔をおいて互いに直交するように配置されて、その交差部において互い接合されることにより形成された
ことを特徴とするものである。
【００２７】
また、本考案による棚用ネットの取付構造は、
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられた棚用ネットを用い、
棚の背面に、前記棚の背面に沿って前記棚の左右方向に細長く伸びるように懸垂用横部材が設けられ、
前記棚用ネットが、前記棚用ネットの前記懸垂部を前記懸垂用横部材に引っ掛けて、前記懸垂用横部材から懸垂するように配置されると共に、前記棚用ネットの前記保護部が前記棚の背面側の棚柱より前記棚の左右方向の外側に位置するように配置される
ことを特徴とするものである。
【考案の効果】
【００２８】
このような本考案の棚用ネットによれば、
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられたことにより、
少ない人数で安全かつ迅速に棚に取り付けることができ、取り付け後の棚の美観を向上させることができる。
【００２９】
このような本考案の棚用ネットの取付構造によれば、
外形が略長方形の鉛直平面に沿って格子状に形成された格子部と、
前記格子部の略長方形の外形の上辺部に沿って設けられた懸垂部と、
前記格子部の略長方形の外形の左右いずれかの辺部に沿って設けられた保護部を備え、
前記保護部は、前記格子部の左右いずれかの辺部から、前記格子部に対して略直角、かつ、前記格子部の前面側に向かって所定の長さ寸法だけ伸びるように設けられた棚用ネットを用い、
棚の背面に、前記棚の背面に沿って前記棚の左右方向に細長く伸びるように懸垂用横部材が設けられ、
前記棚用ネットが、前記棚用ネットの前記懸垂部を前記懸垂用横部材に引っ掛けて、前記懸垂用横部材から懸垂するように配置されると共に、前記棚用ネットの前記保護部が前記棚の背面側の棚柱より前記棚の左右方向の外側に位置するように配置されることにより、
少ない人数で安全かつ迅速に棚に取り付けることができ、取り付け後の棚の美観を向上させることができる。
【図面の簡単な説明】
【００３０】
【図１】本考案の一実施の形態に係る棚用ネット３２を示す斜視図である。
【図２】図１に示す棚用ネット３２を示す正面図である。
【図３】図１に示す棚用ネット３２を示す図であって、図３（ａ）はその側面図であり、図３（ｂ）はその平面図である。
【図４】図１に示す棚用ネット３２を用いた、本考案の一実施の形態に係る棚用ネットの取付構造２２を示す斜視図である。
【図５】図４に示す棚用ネットの取付構造２２における、図中上側の懸垂用横部材６の図中右側の端部の周辺を拡大して示す図であって、図５（ａ）はその拡大側面図であり、図５（ｂ）はその拡大正面図である。
【図６】図４に示す棚用ネットの取付構造２２における、図中上側の懸垂用横部材６の図中右側の端部の周辺を拡大して示す図であって、図５（ｂ）におけるＡ−Ａ線矢視断面図である。
【図７】従来の棚用ネット１２を示す斜視図である。
【図８】図７に示す棚用ネット１２を用いた、従来の棚用ネットの取付構造２を示す斜視図である。
【図９】図８に示す棚用ネットの取付構造２における、図中上側の懸垂用横部材６の図中右側の端部の周辺を拡大して示す図であって、図９（ａ）はその拡大側面図であり、図９（ｂ）はその拡大正面図である。
【図１０】図８に示す棚用ネットの取付構造２における、棚用ネット１２が取り付けられた棚４の背面側の棚柱４ａを保護する方法について説明するための概略斜視図である。
【考案を実施するための形態】
【００３１】
以下、本考案に係る棚用ネット、及びそれを用いた棚用ネットの取付構造を実施するための形態について、図面に基づいて具体的に説明する。なお、図７ないし図１０に示す従来の構成と同様の部分には、一部を除き同じ符号を付して説明するものとする。
【００３２】
図１ないし図６は、本考案の一実施の形態に係る棚用ネット３２、及びそれを用いた棚用ネットの取付構造２２について説明するために参照する図である。
【００３３】
本実施の形態に係る棚用ネット３２は、図１に示すように、外形が略長方形に形成された鉛直平面に沿って格子状に形成された格子部３２ａと、格子部３２ａの上端部（格子部３２ａの略長方形の外形の上辺部）に沿って設けられた懸垂部３２ｂと、格子部３２ａの左右いずれか（図１においては図中右側）の端部（格子部３２ａの略長方形の外形の左右いずれかの辺部）に沿って設けられた保護部３２ｃを備えている。
【００３４】
棚用ネット３２の格子部３２ａは、図２に示すように、図中上下方向（鉛直方向）に細長く伸びる複数の縦線３４と図中左右方向（水平方向）に細長く伸びる複数の横線３６が、それぞれ所定の間隔をおいて互いに直交するように格子状に配置され、その交差部において交差する縦線３４と横線３６が溶接等により接合されることにより形成されている。
【００３５】
棚用ネット３２の懸垂部３２ｂは、図２及び図３（ａ）に示すように、格子部３２ａを形成する縦線３４の上端部が、格子部３２ａの上端部より上方に所定の長さ寸法だけ突出し、その突出した長さ部分が格子部３２ａの前面側（図３（ａ）中右側）に向かって逆Ｕ字形に曲げられることによって形成されたフック３８が、格子部３２ａの略長方形の外形の上辺部に沿って複数設けられることにより形成されている。
【００３６】
棚用ネット３２の保護部３２ｃは、図３（ｂ）に示すように、格子部３２ａを形成する横線３６が、格子部３２ａの左右いずれか（図３（ｂ）においては図中右側）の端部から、格子部３２ａの前面側（図中上側）に向かって略直角に折れ曲がって格子部３２ａの前面側に所定の長さ寸法だけ伸び、その折れ曲がった先の長さ部分には、図３（ａ）に示すように、図中上下方向（鉛直方向）に細長く伸びる複数の縦線３４が、横線３６の折れ曲がった先の長さ部分と、それぞれ所定の間隔をおいて互いに直交するように配置されて、その交差部が溶接等により互いに接合されることにより形成されている。
【００３７】
すなわち、棚用ネット３２の保護部３２ｃは、図１に示すように、格子部３２ａと同様の格子状に形成され、格子部３２ａの略長方形の外形の図中右辺部に沿って、上記右辺部から、格子部３２ａに対して略直角、かつ、格子部３２ａの前面側に向かって所定の長さ寸法だけ伸びるように形成されている。
【００３８】
このような棚用ネット３２を用いた、本考案の実施の形態に係る棚用ネットの取付構造２２は、図４に示すように、枠組構造の棚４と、棚４の背面に沿って水平方向に伸びるように設けられた複数の懸垂用横部材６を備え、棚用ネット３２は、懸垂用横部材６から懸垂するように取り付けられている。
【００３９】
棚４は、水平方向に所定の間隔をおいて、鉛直方向に伸びるように床上に立設された複数の棚柱４ａと、それらの棚柱４ａの間を架け渡すように、棚４の前後又は左右方向（水平方向）に伸びる複数の棚梁４ｂを組み合わせて、棚梁４ｂの間に棚板（図示せず）を水平方向に架け渡すように設けることにより、多数の区画の収納空間を有する枠組構造として形成されている。
【００４０】
懸垂用横部材６は、このような棚４の背面に沿って棚４の左右方向（水平方向）に細長く伸びるように形成され、棚４の背面側の棚柱４ａの高さ途中部に設けられたピース７を介して、棚４の背面の所定の高さ位置に固定されている。
【００４１】
そして、図５（ａ）に示すように、懸垂用横部材６の長さ方向に対して垂直な断面は、棚４の背面に沿うように鉛直方向（図中上下方向）に立設された垂直板部６ａと、その垂直板部６ａの下端部から棚４の背面に向かって水平方向（図中左右方向）に伸びる水平板部６ｂを備えた略Ｌ字形に形成されている。
【００４２】
そして、図５（ｂ）に示すように、懸垂用横部材６の垂直板部６ａには、開口部の形状が懸垂用横部材６の長さ方向（図中左右方向）に細長く伸びる長孔状に形成された、垂直板部６ａを厚さ方向（図の紙面に垂直方向）に貫通するボルト孔６ｃが、懸垂用横部材６の長さ方向に沿って、互いに所定の間隔をおいて並んで複数形成されている。
【００４３】
一方、ピース７は、図５（ｂ）に示すように、棚４の左右方向（図中左右方向）に所定の幅寸法を有し、その幅方向に対して垂直な断面が逆Ｌ字形に形成されており（図５（ａ）及び図９（ａ）参照）、図５（ａ）に示すように、その鉛直方向に伸びる垂直板部７ａが、ボルト等によって、棚４の背面側の棚柱４ａの背面（図中左側の側面）に固定されている。
【００４４】
そして、このようなピース７が、棚４の左右方向に所定の間隔をおいて立設された棚４の背面側のそれぞれの棚柱４ａの背面に、棚４の上下方向（鉛直方向）の位置が略同一となるようにそれぞれ設けられている。
【００４５】
そして、懸垂用横部材６は、棚柱４ａの背面に設けられたピース７の上に載置されて、棚４の背面側の棚柱４ａの間を架け渡すように配置され、懸垂用横部材６の水平板部６ｂが、ボルト等によって、それぞれのピース７に固定されている。
【００４６】
そして、図４に示すように、棚４の背面には、このような懸垂用横部材６が、棚４の上下方向（鉛直方向）に所定の間隔をおいて互いに略平行となるように複数設けられ、それぞれの懸垂用横部材６の間の棚４の上下方向の間隔は、図１に示す棚用ネット３２の格子部３２ａの上下方向（鉛直方向）の寸法より小さくなるように設けられている。
【００４７】
そして、棚用ネット３２は、図４に示すように、棚用ネット３２の懸垂部３２ｂのフック３８を棚４の背面に設けられた図中上側の懸垂用横部材６の垂直板部６ａの上端部に引っ掛けて、懸垂用横部材６から懸垂するように配置されると共に、棚用ネット３２の格子部３２ａの下端部が図中上側の懸垂用横部材６の下方に設けられた図中下側の懸垂用横部材６より下側、かつ、懸垂用横部材６の垂直板部６ａの背面側に位置するように配置されている。
【００４８】
このとき、棚用ネット３２は、図６に示すように、棚用ネット３２の格子部３２ａの図中右端部に設けられた保護部３２ｃが、棚４の背面側の棚柱４ａやそこに設けられた懸垂用横部材６やピース７より図中右側、すなわち、棚４の背面側の棚柱４ａより、棚４の左右方向（水平方向）の外側に位置するように配置されている。
【００４９】
また、図６に示すように、棚用ネット３２は保護部３２ｃの長さ方向（図中上下方向）の先端部（図中上側の端部）が、棚４の背面側の棚柱４ａの前面（図中上側の側面）より、棚４の前面側（図中上側）に位置するように配置されている。
【００５０】
そして、図５（ａ）及び（ｂ）に示すように、丸棒状の部材をコ字状に曲げてその両端部にオネジ部が形成されたようなＵボルト８の両端オネジ部を、懸垂用横部材６の垂直板部６ａの背面側（図５（ａ）中左側）から、棚用ネット３２の格子部３２ａの格子の目と、懸垂用横部材６の垂直板部６ａに形成されたボルト孔６ｃに連続して挿通して、垂直板部６ａの前面側（図５（ａ）中右側）からナット９をネジ締結する。
【００５１】
それにより、Ｕボルト８の両端部の間に形成された長さ部分が、棚用ネット３２の格子部３２ａを、懸垂用横部材６の垂直板部６ａの背面（図５（ａ）中左側の面）に押さえ付けるようにして、棚用ネット３２が棚４の背面に固定されるようになっている。
【００５２】
このような棚用ネット３２は、図４に示すように、棚４の背面の開放部の左右方向（水平方向）の寸法が、１枚の棚用ネット３２の左右方向の寸法より大きい場合は、複数の棚用ネット３２や図７に示す従来の棚用ネット１２を棚４の背面に左右方向に並べて取り付けることができるようになっている。
【００５３】
すなわち、図４に示す棚４の背面右側の棚柱４ａとは反対側に位置する、棚４の背面左側の棚柱４ａ（図示せず）には、図１に示す棚用ネット３２と左右対称に形成された、すなわち、保護部３２ｃが格子部３２ａの左辺部に沿って設けられたような棚用ネット３２を配置する。
【００５４】
そして、棚４の背面の開放部の左右方向（水平方向）の寸法が、それら左右両側の棚用ネット３２のそれぞれの左右方向（水平方向）の寸法を足し合わせた寸法より大きい場合には、それら左右両側の棚用ネット３２の間の棚４の背面の開放部を塞ぐように、図７に示す従来の棚用ネット１２のような、保護部を備えていない棚用ネットを配置する。
【００５５】
そして、Ｕボルト８のそれぞれの端部のオネジ部を、隣り合う２枚の棚用ネット１２，３２のそれぞれの棚用ネットの格子の目と、懸垂用横部材６の垂直板部６ａに形成されたボルト孔６ｃにそれぞれ連続して挿通して、反対側からナット９をネジ締結することにより、隣り合う２枚の棚用ネット１２，３２をまとめて固定することができるようになっている（図４の左上又は左下部参照）。
【００５６】
そして、棚用ネット３２は、図４に示すように、棚４の背面の開放部の上下方向（鉛直方向）の寸法が、１枚の棚用ネット３２の上下方向の寸法より大きい場合は、従来の棚用ネット１２と同様に、複数の棚用ネット３２を棚４の背面に上下方向に並べて取り付けることができるようになっている。
【００５７】
すなわち、図４に示すように、図中上側の懸垂用横部材６から懸垂する棚用ネット３２とは別の棚用ネット３２を、その（図中上側）の懸垂用横部材６の上側に設けられた別の懸垂用横部材６（図示せず）に懸垂させて、図中上側の懸垂用横部材６の垂直板部６ａの背面側において、図中上側の棚用ネット３２の格子部３２ａの下端部と図中下側の棚用ネット３２の上端部が重なり合うように配置する。
【００５８】
そして、Ｕボルト８の両端オネジ部を、懸垂用横部材６の垂直板部６ａの背面側から、重なり合う２枚の棚用ネット３２のそれぞれの格子部３２ａの格子の目と、懸垂用横部材６の垂直板部６ａに形成されたボルト孔６ｃに連続して挿通して、反対側からナット９をネジ締結することにより、重なり合う２枚の棚用ネット３２をまとめて固定することができるようになっている。
【００５９】
このように、棚用ネット３２が棚４に取り付けられることにより、従来の棚用ネット１２を用いた従来の棚用ネットの取付構造２と同様に、棚４に置かれた荷物が棚４の開放された背面側から落下することを防止できるようになっている。
【００６０】
そして、このような本実施の形態に係る棚用ネット３２、及びそれを用いた棚用ネットの取付構造２２を用いることにより、棚の周辺で安全に作業を行うことができる。
【００６１】
すなわち、棚４の背面に棚用ネット３２が取り付けられることにより、図６に示すように、棚柱４ａや、そこに固定されたピース７及び懸垂用横部材６の端面、それらを固定するためのボルト等が、棚用ネット３２の格子部３２ａと保護部３２ｃによって形成される棚用ネット３２の隅部の内側部に配置されるため、棚４の周辺で作業する者がそれらに接触することを防ぐことができる。
【００６２】
また、本実施の形態に係る棚用ネット３２、及びそれを用いた棚用ネットの取付構造２２を用いることにより、棚用ネットが取り付けられた棚の背面側の棚柱を、少ない人数で迅速かつ安全に保護することができる。
【００６３】
すなわち、上述したように、棚４の背面に棚用ネット３２を取り付けるだけで、棚用ネット３２が取り付けられた棚４の背面側の棚柱４ａが保護されるため、図１０に示すような保護部材１０を取り付ける従来の方法に比べて、棚４の背面側の棚柱４ａに保護部材１０を取り付ける作業を省略することができる。
【００６４】
また、棚用ネット３２を固定するために用いられるＵボルト８は、棚用ネット３２の格子部３２ａの格子の目を通して、棚用ネット３２の表面側から背面側へ移動させることができるようになっているため、棚用ネット３２の前面側から棚用ネット３２を固定することができるようになっている。
【００６５】
それにより、棚用ネット３２は、棚用ネット３２を懸垂用横部材６から懸垂させた状態のまま、１人の作業者が、棚用ネット３２の前面側、すなわち、棚４の内部から棚４の棚板に乗った状態で棚４に取り付ける作業を、安全かつ迅速に行なうことができる、
【００６６】
そして、本実施の形態に係る棚用ネット３２、及び棚用ネットの取付構造２２を用いることにより、棚用ネットが取り付けられている棚の背面側の棚柱を保護するために、図１０に示すような保護部材１０を別途取り付ける必要がなくなるため、棚４の見た目がすっきり見えて、倉庫の美観の向上を図ることができる。
【００６７】
このように、本実施の形態に係る棚用ネット３２、及び棚用ネットの取付構造２２によれば、少ない人数で安全かつ迅速に棚に取り付けることができ、取り付け後の棚の美観を向上させることができる。
【００６８】
なお、本考案は、前記実施の形態のみに限定されるものではなく、本考案の目的を達成することができる範囲内であれば、種々の変更が可能である。
【００６９】
例えば、前記実施の形態に係る棚用ネット３２においては、図２等に示すように、その格子部３２ａや保護部３２ｃは、上下方向に伸びる複数の縦線３４と左右方向に伸びる複数の横線３６が互いに直交するように配置されることにより形成されているが、格子部３２ａや保護部３２ｃを形成する縦線３４や横線３６が、上下方向又は左右方向に対して斜め方向に伸びるようにしてもよいし、交差する縦線３４と横線３６の互いの角度が直角以外の角度であってもよい。
【００７０】
また、前記実施の形態に係る棚用ネット３２においては、図２等に示すように、フック３８は、格子部３２ａを形成する全ての縦線３４の上端部に形成されているが、フック３８が、格子部３２ａを形成する縦線３４のうちの、一部の縦線３４の上端部にのみ形成されるようにしてもよい。
【００７１】
また、前記実施の形態に係る棚用ネット３２においては、図３（ａ）等に示すように、フック３８は、縦線３４の上端部の長さ部分が逆Ｕ字形に曲げられることによって形成されているが、フック３８が、例えば、縦線３４の上端部の長さ途中部を折り曲げて、逆Ｖ字形や下方に開口するコ字形等の、逆Ｕ字形以外の形状に形成されるようにしてもよい。
【００７２】
また、前記実施の形態に係る棚用ネットの取付構造２２においては、図４に示すように、棚用ネット３２の下端部を、懸垂用横部材６の垂直板部６ａの背面側に配置して、垂直板部６ａの背面に押え付けるように固定しているが、棚用ネット３２の下端部を、懸垂用横部材６の垂直板部６ａの前面側に配置して、垂直板部６ａの前面に押え付けるように固定してもよい。
【００７３】
また、前記実施の形態に係る棚用ネットの取付構造２２においては、図５に示すように、Ｕボルト８とナット９を用いて棚用ネット３２の格子部３２ａを懸垂用横部材６の垂直板部６ａに固定しているが、それ以外の方法、例えば、針金やワイヤーのようなものを用いて、棚用ネット３２の格子部３２ａを懸垂用横部材６の垂直板部６ａに縛り付けるようにして固定してもよい。
【符号の説明】
【００７４】
２  棚用ネットの取付構造
４  棚
４ａ  棚柱
４ｂ  棚梁
６  懸垂用横部材
６ａ  垂直板部
６ｂ  水平板部
６ｃ  ボルト孔
７  ピース
７ａ  垂直板部
８  Ｕボルト
９  ナット
１０  保護部材
１２  棚用ネット
１４  縦線
１６  横線
１８  フック
２２  棚用ネットの取付構造
３２  棚用ネット
３２ａ  格子部
３２ｂ  懸垂部
３２ｃ  保護部
３４  縦線
３６  横線
３８  フック
【図１】
0003228841.tif 000003
【図２】
0003228841.tif 000004
【図３】
0003228841.tif 000005
【図４】
0003228841.tif 000006
【図５】
0003228841.tif 000007
【図６】
0003228841.tif 000008
【図７】
0003228841.tif 000009
【図８】
0003228841.tif 000010
【図９】
0003228841.tif 000011
【図１０】
0003228841.tif 000012